(57)【要約】【課題】あらかじめ就寝前に時間設定を行うため、実際に起床する時間が予定した時間と異なる場合には起床時とずれた時間に制御がされる。【解決手段】家庭内に配置されたネットワーク６と、ネットワーク６に接続され起床を検知する起床センサ４、５と、ネットワーク６に接続された家電機器２０、２１に指示信号を送信する送信手段とを備えた機器制御装置。【選択図】図１
2006340155.tif 000002
【特許請求の範囲】
【請求項１】
家庭内に配置されたネットワークと、前記ネットワークに接続され離床を検知する離床センサと、前記ネットワークに接続された家電機器に指示信号を送信する送信手段とを備えた機器制御装置。
【請求項２】
時計と、時間設定手段と、判断手段を備え、前記判定手段は離床センサによる離床検知時に、時計による時刻が前記時間設定手段に設定された起床閾時間以前の場合は一時的離床、前記起床閾時間より遅い場合は起床と判定し、家電機器にスタート信号を送信する、請求項１記載の機器制御装置。
【請求項３】
判定手段が起床と判定した時にスタート信号を送信して、接続機器に動作開始を指示する、請求項２記載の機器制御装置。
【請求項４】
判定手段が起床もしくは一時的離床と判定した時にスタート信号を送信して、接続機器に動作開始を指示する、請求項２記載の機器制御装置。
【請求項５】
コンピュータを請求項１〜４のいずれか１項に記載の機器制御装置の少なくとも一部を機能させるためのプログラム
【発明の詳細な説明】
【技術分野】
【０００１】
本発明は起床を検知してネットワークにより機器を制御する機器制御装置とそのプログラム関するものである。
【背景技術】
【０００２】
従来、たとえば起床して身支度を調えたころに炊きたてのご飯を食べたい場合は、炊飯器に炊飯終了希望時刻または炊飯終了までの希望時間を指定して、炊飯予約を行うものであった（例えば特許文献１参照）。
【０００３】
図７（ａ）図７（ｂ）は前記特許文献１に記載された従来の炊飯器を示す。
【０００４】
本体３内に収容する内鍋２と、該内鍋２を加熱する加熱手段（誘導加熱コイル６）と、内鍋２の温度を検出する温度検知手段（温度センサ７）と、ユーザが希望に応じて炊飯メニュー等の炊飯条件を入力する複数のスイッチ（スイッチの操作部３７〜４３）と、操作されたスイッチに応じて各負荷部品を制御して炊飯処理を実行する制御手段（マイコン１５）を備えた炊飯器１において、ユーザが希望する炊き上がり時刻を設定する時刻予約機能と、ユーザが希望する炊き上がりまでの時間を設定する時間予約機能とを設け、これら２種類の予約機能を、スイッチのうち、いずれか１つのスイッチ（とりけしスイッチの操作部４３）による１回の操作で切替可能とするとともに、その切替時にいずれの機能に設定したかを記憶するものである。
【０００５】
また、従来の別の方法として、ネットワークを介して機器の予約運転を行うものがあった（例えば特許文献２参照）。
【０００６】
図８は、前記特許文献２に記載された機器を示し、家庭内ＬＡＮ１に無線で接続されているキッチンに設置された給湯ポット２及び炊飯器３等の予約を行うシステムである。これらの機器の予約は、パソコン９や携帯電話１０、１１及びＰＤＡ１２等を用いて行う。家庭内ＬＡＮ１は、ネットワーク１５を介して予約管理サーバ１６に接続される。予約管理サーバ１６は、各機器に担当者が割り当てられている場合、その担当者のスケジュールを基礎として自動的に機器の予約運転を行う。各機器に担当者が割り当てられていない場合は、起床又は帰宅については各利用者のスケジュールのうち一番早いスケジュールを優先し、外出又は就寝については各利用者のスケジュールのうち一番遅いスケジュールを優先して自動的に予約運転を行うものである。
【特許文献１】特開２００１−３４０２１６号公報
【特許文献２】特開２００４−３０４３５４号公報
【発明の開示】
【発明が解決しようとする課題】
【０００７】
しかしながら、前記の二つの従来の構成では、共に、あらかじめ就寝前に時間設定を行うため、実際に起床する時間が予定した時間と異なる場合には起床後に炊きたてのご飯を食べることが出来ない。すなわち、起床予定時間を例えば２時間過ぎて起床した場合には炊きあがって保温されているため、炊きあがりのもっとも食味の良い状態で食することが出来ない。また、起床予定時間より例えば１時間前に起床した場合にはタイマーを取り消しして炊飯スタートを指示しなければならない。前記従来の構成は以上のような課題を有していた。
【０００８】
本発明は、前記従来の課題を解決するもので、起床を検知してネットワークにより機器を制御する、起床検知による機器制御装置を提供することを目的とする。
【課題を解決するための手段】
【０００９】
前記従来の課題を解決するために、本発明の機器制御装置は、家庭内に配置されたネットワークと、ネットワークに接続され起床を検知する起床センサと、ネットワークに接続された家電機器に指示信号を送信する送信手段とを備えた機器制御装置とするものである。
【００１０】
これによって、起床を検知してネットワークにより機器を制御することで、必要なタイミングでの機器制御を行うことが出来る。
【発明の効果】
【００１１】
本発明の機器制御装置とそのプログラムは、家庭内に配置されたネットワークと、ネットワークに接続され起床を検知する起床センサと、ネットワークに接続された家電機器に指示信号を送信する送信手段とを備えた機器制御装置とすることにより、起床を検知して機器を制御することで、起床及び一時的な離床に合わせて自動的に機器制御を行うことが出来る。あらかじめ時間予約を行わず起床を検知して機器を制御するために、あらかじめ予定していた時間よりも早く起床した場合や、あらかじめ起床を予定していた時間より遅く起床した場合に希望通りの結果が得られないと言うことなく、実際に起床した時間に合わせて機器を制御することが出来る。また、夜中に目が覚めた場合のような一時的な離床の場合も、起床した場合と区別して機器制御を行うことが出来る。
【発明を実施するための最良の形態】
【００１２】
第１の発明は、家庭内に配置されたネットワークと、ネットワークに接続され離床を検知する離床センサと、ネットワークに接続された家電機器に指示信号を送信する送信手段を備えた機器制御装置とすることにより、離床を検知して機器を制御することで、離床に合わせて自動的に機器制御を行うことが出来る。
【００１３】
第２の発明は、時計と、時間設定手段と、判断手段を備え、特に第１の発明の判定手段は離床センサによる起床検知時に、時計による時刻が時間設定手段に設定された起床閾時間以前の場合は一時的離床、起床閾時間より遅い場合は起床と判定し、家電機器にスタート信号を送信する機器制御装置とすることで、起床及び一時的な離床を分けて検知し機器を制御することで、起床及び一時的な離床に合わせて自動的に機器制御を行うことが出来る。
【００１４】
第３の発明は、特に第２の発明の判定手段が起床と判定した時にスタート信号を送信して、接続機器に動作開始を指示する機器制御装置とすることで、起床及び一時的な離床を分けて検知し機器を制御することで、起床時に自動的に機器制御を行うことが出来る。
【００１５】
第４の発明は、特に第２の発明の判定手段が起床もしくは一時的離床と判定した時にスタート信号を送信して、接続機器に動作開始を指示する機器制御装置とすることで、起床及び一時的な離床を分けて検知し機器を制御することで、起床時もしくは一時的な離床時に自動的に機器制御を行うことが出来る。
【００１６】
第５の発明は、特に、コンピュータを第１〜４のいずれか１項の発明の起床検知による機器制御装置の全てまたはその一部を機能させるためのプログラムとすることにより、コンピュータを第１〜４のいずれか１項の発明の起床検知による機器制御装置の全てもしくは一部として機能させることで、電気・情報機器、コンピュータ、サーバー等のハードリソースを協働させて本発明の起床検知により機器を制御することが出来る機器制御装置の一部あるいは全てを容易に実現することができる。また記録媒体に記録したり通信回線を用いてプログラムを配信したりすることでプログラムの配布・更新やそのインストール作業が簡単にできる。
【００１７】
以下、本発明の実施の形態について、図面を参照しながら説明する。なお、この実施の形態によって本発明が限定されるものではない。
【００１８】
（実施の形態１）
以下本発明の実施の形態について図面を参照しながら説明する。
【００１９】
図１に本実施の形態の第１の実施の形態における機器制御装置の概略構成を示す。図１において、１は寝具、２は上掛け、３は使用者である。４は圧力センサであり、使用者３と寝具１の間に設置している。５は圧力センサ４の出力から在不在を判定する離床判定手段であり、圧力センサ４と離床判定手段５で離床センサを構成している。６は家庭内に配置されたＬＡＮ（ネットワーク）、７は機器制御手段、２０は炊飯器、２１はトイレ暖房である。離床判定手段５、機器制御手段７、炊飯器８、トイレ暖房９はＬＡＮ６でネットワーク接続されている。なお、本実施の形態では離床判定手段５はマイクロコンピュータで構成している。
【００２０】
次に、図２を用いて機器制御手段７の構成を説明する。８は時計、９は起床閾時間を設定する時間設定手段、１０は使用者が制御したい機器を設定するマンマシンインターフェースである制御設定部、１１は起床状況の判定を行う判定手段、１２はＬＡＮ６から情報を入力するＬＡＮ入力手段、１３はＬＡＮに情報を出力するＬＡＮ出力手段である。本実施の形態では判定手段１１、ＬＡＮ入力手段１２、ＬＡＮ出力手段１３はマイクロコンピュータで構成している。
【００２１】
次に、図３に、制御設定部１０を示す。○部分はスイッチになっており、押すことで、○（なにもしない）と●（ＯＮ）が交互に入れ替わる。使用者は○をプッシュして図３に示すように「起床すれば炊飯器をＯＮにする」「起床又は一時的離床の両方の場合にトイレ暖房をＯＮにする」というように設定を行う。
【００２２】
以下、本実施の形態の動作を説明する。
【００２３】
図４に離床判定手段５の出力である在／不在信号Ｚを圧力センサ４の出力Ｘとともに示したグラフである。圧力センサ４には人体の心臓の鼓動や体動による振動によって出力に信号Ｘのような波が現れる。寝具１上に使用者がいる場合は、図４の期間１のような波形となり、寝具から離れた場合は、期間２のように、ほぼ一定レベルの信号が現れる。本実施の形態では在不在判定手段５は（数１）に示すように、圧力センサ４の出力信号Ｘの２０情報の積算値の絶対値が所定値Ｘ０より小さい場合は０、それ以外は１を在不在判定結果Ｚとして出力するものである（図４の在／不在グラフを参照）。
【００２４】
【数１】
2006340155.tif 000003
【００２５】
次に、図５を用いて本実施の形態の動作を説明する。図４は本実施の形態の制御手段７の動作の概略を示すフローチャートである。
【００２６】
ステップ１で動作を開始し、ステップ２で時間設定手段９に設定されている起床閾時間T0と、制御設定部１０に設定された制御リクエストを読み込む。制御リクエストは図３において設定した、「起床時に炊飯器をＯＮにする」「起床又は一時的離床の両方の場合にトイレ暖房をＯＮにする」などの、使用者が制御設定部１０で設定している情報である。
【００２７】
ステップ３でＬＡＮ入力手段１３を介して離床判定手段５の出力である在／不在信号Ｚを読み込む。
【００２８】
ステップ４で在／不在で場合分けを行い、在であれば、すなわちＺ＝１であればステップ５に進んで、状況として「在床」を設定し、ステップ１０へ進む。
【００２９】
ステップ４で不在であれば、すなわちＺ＝０であればステップ６に進み、時計８による現在時刻Tを読み込む。
【００３０】
ステップ７で、現在時刻T≦T0のとき、ステップ９で状況として「一時的離床」を設定し、ステップ１０へ進む。
【００３１】
ステップ７で、現在時刻T＞T0のとき、ステップ８で状況として「起床」を設定し、ステップ１０へ進む。
【００３２】
ステップ１０で、状況を記憶し、制御設定部１０に設定された制御リクエストに応じた制御の判定を行う。
【００３３】
ステップ１１でＬＡＮ出力手段１３を介して制御信号をＬＡＮ６に出力して、ステップ３にもどり、ステップ３以下を繰り返す。
【００３４】
制御信号は、ここでは図３に示すように、起床判定時には「炊飯器とトイレ暖房をＯＮする」とし、一時的離床判定時には「トイレ暖房をＯＮする」である。
【００３５】
次に図６を用いて図５のステップ１０で行う機器制御判定の動作を説明する。
【００３６】
ステップ２１で機器の制御判定動作を開始し、ステップ２２で前回の在床状況である状況oが在床かどうかを判定し、前回在床でなければ、ステップ２６でフラグSTFGを０に設定する。
【００３７】
ステップ２２で前回在床であれば、ステップ２３で今回の状況を確認する。在床であればステップ２６でSTFGを０に設定する。
【００３８】
ステップ２３で今回起床であればステップ２４で起床時の機器リクエストを判定し、リクエストが設定されていればステップ２７でフラグSTFGに１を設定する。また、ステップ２４で起床リクエストが設定されていなければ、ステップ２６でSTFGを０に設定する。
【００３９】
ステップ２３で今回一時的離床であれば、ステップ２５で一時的離床起床時の機器リクエストを判定し、リクエストが設定されていればステップ２７でフラグSTFGに１を設定する。また、ステップ２５で一時的離床リクエストが設定されていなければ、ステップ２６でSTFGを０に設定する。
【００４０】
ステップ２６もしくはステップ２７でフラグ設定を行うと、ステップ２８で今回の状況を状況oに保存してステップ２９で機器制御判定の動作を終了する。
【００４１】
以上のように、起床時や一時離床を検知し、あらかじめ設定した機器動作を自動的に行うことが出来る。
【００４２】
なお、本実施の形態で説明した体調判定装置の各手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。そして、プログラムであるので汎用コンピュータやサーバを用いて本発明の機器制御装置の一部を容易に実現することができる。また記録媒体に記録したり通信回線を用いてプログラムを配信したりすることでプログラムの配布やインストール作業が簡単にできる。以上述べた動作のプログラムでの実施の形態は図５、図６にプログラムのフローチャートを示したものである。
【００４３】
以上述べたように、本実施の形態に寄れば起床時や一時離床を検知し、あらかじめ設定した機器動作を自動的に行う機器制御装置を実現できるものである。
【００４４】
なお、制御する機器は本実施の形態で説明した炊飯器やトイレ暖房に限らず家電機器であればよい。
【産業上の利用可能性】
【００４５】
以上のように、本発明にかかる機器制御装置とそのプログラムは、起床、離床時の自動的な機器操作が可能となるので、エアコン、コーヒーメーカー、ＡＶ機器の自動制御等の用途にも適応できる。また、起床判定を逆に利用して、就寝判定を行い機器制御する機器制御装置にも利用できる。
【図面の簡単な説明】
【００４６】
【図１】本発明の実施の形態における機器制御装置の構成図
【図２】同機器制御装置の機器制御手段の構成を示す図
【図３】同機器制御装置の制御設定部の表示設定を示す図
【図４】同機器制御装置の圧力センサ出力信号と在床判定手段の出力信号を示す図
【図５】同機器制御装置の動作を示すフローチャート
【図６】同機器制御装置の機器制御判定動作を示すフローチャート
【図７】機器制御装置の従来例１（炊飯器）を示す図
【図８】機器制御装置の従来例２を示す図
【符号の説明】
【００４７】
４  圧力センサ（離床センサ）
５  離床判定手段（離床センサ）
６  ＬＡＮ（ネットワーク）
７  機器制御手段
８  時計
９  時間設定手段
１０  制御設定部
１１  判定手段（判断手段）
１２  ＬＡＮ入力手段
１３  ＬＡＮ出力手段（送信手段）
２０  炊飯器（家電機器）
２１  トイレ暖房（家電機器）
【図１】
2006340155.tif 000004
【図２】
2006340155.tif 000005
【図３】
2006340155.tif 000006
【図４】
2006340155.tif 000007
【図５】
2006340155.tif 000008
【図６】
2006340155.tif 000009
【図７】
2006340155.tif 000010
【図８】
2006340155.tif 000011